(57)【要約】【課題】画像を読み取った結果に対して影響を与える光学系に起因して発生する明度の変動の程度を、画像を読み取りながら測定し、この測定した程度の値に基づき読み取った画像を補正する画像読取装置を提供することにある。【解決手段】画像読取装置は、光源２１１に照射され、光分割部２３を透過し、原稿面で拡散反射された光のうち、結像部２４により導光されてラインセンサ２５１に到達した光に基づいて、原稿面が示す画像の画像情報を取得する。また、光源２１１に照射されて光分割部２３が回折した光は、結像部２４により導光されてラインセンサ２５２に到達し、この到達した光に基づいて明度基準情報が生成される。画像読取装置は、この明度基準情報について基準値を予め定めておくことで、この基準値との差異を測定して、読み取った画像情報における明度の変動を補正する。【選択図】図２
2011049774.tif 000002
【特許請求の範囲】
【請求項１】
照射された光のうち、一部の波長の光を回折するとともに、当該一部の波長とは異なる波長の光を透過するように、前記照射された光を分割する光分割手段と、
第１の検出領域に入射される光を検出し、検出した光に応じた第１の検出情報を出力する第１の光検出手段と、
第２の検出領域に入射される光を検出し、検出した光に応じた第２の検出情報を出力する第２の光検出手段と、
前記光分割手段を透過した光が照射される領域内にある被読取体上の画像を前記第１の検出領域に結像させるとともに、前記光分割手段によって回折された光に応じて形成される虚像を前記第２の検出領域に結像させる結像手段と、
前記第１の検出情報を前記第２の検出情報により補正して、前記被読取体上の画像を示す画像情報を生成する生成手段と
を具備することを特徴とする画像読取装置。
【請求項２】
前記第１の光検出手段は、一列に複数並べられた前記第１の検出領域を有し、前記第１の検出領域の各々に対応した前記第１の検出情報を出力し、
前記第２の光検出手段は、前記第１の検出領域の各々に対応して並べられた複数の前記第２の検出領域を有し、前記第２の検出領域の各々に対応した前記第２の検出情報を出力し、
前記生成手段は、前記第１の検出情報の各々を、対応関係にある前記第２の検出情報により補正する
ことを特徴とする請求項１に記載の画像読取装置。
【請求項３】
第３の検出領域に入射される光を検出し、検出した光に応じた第３の検出情報を出力する第３の光検出手段であって、前記結像手段による結像により前記第３の検出領域に光が入射されないように配置された第３の光検出手段をさらに具備し、
前記生成手段は、前記第１の検出情報を前記第２、第３の検出情報により補正して、前記被読取体に対応した画像を示す画像情報を生成する
ことを特徴とする請求項１または請求項２に記載の画像読取装置。
【請求項４】
前記光分割手段により回折した光以外の光が当該第２の検出領域に入射することを抑制する光抑制手段をさらに具備する
ことを特徴とする請求項１ないし請求項３のいずれかに記載の画像読取装置。
【請求項５】
前記予め決められた領域外において前記被読取体により反射され、前記結像手段を介して前記第２の検出領域に到達する光を遮断する光遮断手段をさらに具備する
ことを特徴とする請求項１ないし請求項４のいずれかに記載の画像読取装置。
【発明の詳細な説明】
【技術分野】
【０００１】
本発明は、画像読取装置に関する。
【背景技術】
【０００２】
画像読取装置においては、光学系等の不均一性により発生する明度の変動の補正（シェーディング補正）を行う場合がある。特許文献１では、原稿読み取り時には、第２の偏光板が照射光を透過し、白基準信号取得時には、液晶モジュールに電圧を印加することで旋光された照射光を第２の偏光板が反射する技術が開示されている。
【先行技術文献】
【特許文献】
【０００３】
【特許文献１】特開２００６−２１１２３４号公報
【発明の概要】
【発明が解決しようとする課題】
【０００４】
本発明の目的は、画像を読み取った結果に対して影響を与える光学系に起因して発生する明度の変動の程度を、画像を読み取りながら測定し、この測定した程度の値に基づき読み取った画像を補正する画像読取装置を提供することにある。
【課題を解決するための手段】
【０００５】
本発明の請求項１に係る画像読取装置は、照射された光のうち、一部の波長の光を回折するとともに、当該一部の波長とは異なる波長の光を透過するように、前記照射された光を分割する光分割手段と、第１の検出領域に入射される光を検出し、検出した光に応じた第１の検出情報を出力する第１の光検出手段と、第２の検出領域に入射される光を検出し、検出した光に応じた第２の検出情報を出力する第２の光検出手段と、前記光分割手段を透過した光が照射される領域内にある被読取体上の画像を前記第１の検出領域に結像させるとともに、前記光分割手段によって回折された光に応じて形成される虚像を前記第２の検出領域に結像させる結像手段と、前記第１の検出情報を前記第２の検出情報により補正して、前記被読取体上の画像を示す画像情報を生成する生成手段とを具備することを特徴とする。
【０００６】
本発明の請求項２に係る画像読取装置は、請求項１に記載の構成において、前記第１の光検出手段は、一列に複数並べられた前記第１の検出領域を有し、前記第１の検出領域の各々に対応した前記第１の検出情報を出力し、前記第２の光検出手段は、前記第１の検出領域の各々に対応して並べられた複数の前記第２の検出領域を有し、前記第２の検出領域の各々に対応した前記第２の検出情報を出力し、前記生成手段は、前記第１の検出情報の各々を、対応関係にある前記第２の検出情報により補正することを特徴とする。
【０００７】
本発明の請求項３に係る画像読取装置は、請求項１または請求項２に記載の構成において、第３の検出領域に入射される光を検出し、検出した光に応じた第３の検出情報を出力する第３の光検出手段であって、前記結像手段による結像により前記第３の検出領域に光が入射されないように配置された第３の光検出手段をさらに具備し、前記生成手段は、前記第１の検出情報を前記第２、第３の検出情報により補正して、前記被読取体に対応した画像を示す画像情報を生成することを特徴とする。
【０００８】
本発明の請求項４に係る画像読取装置は、請求項１ないし請求項３のいずれかに記載の構成において、前記光分割手段により回折した光以外の光が当該第２の検出領域に入射することを抑制する光抑制手段をさらに具備することを特徴とする。
【０００９】
本発明の請求項５に係る画像読取装置は、請求項１ないし請求項４のいずれかに記載の構成において、前記予め決められた領域外において前記被読取体により反射され、前記結像手段を介して前記第２の検出領域に到達する光を遮断する光遮断手段をさらに具備することを特徴とする。
【発明の効果】
【００１０】
請求項１に係る画像読取装置によれば、画像を読み取った結果に対して影響を与える光学系に起因して発生する明度の変動の程度を、画像を読み取りながら測定し、この測定した程度の値に基づき読み取った画像を補正することができる。
請求項２に係る画像読取装置によれば、第１の検出情報の各々を、第２の検出情報の各々と対応させない場合に比べ、光学系に起因して発生する明度の変動を精度よく補正して画像を読み取ることができる。
請求項３に係る画像読取装置によれば、画像を読み取った結果に対して影響を与える電気的な変動の程度を、画像を読み取りながら測定し、この測定した程度の値に基づき読み取った画像を補正することができる。
請求項４に係る画像読取装置によれば、光抑制手段を設けない場合に比べ、光学系に起因して発生する明度の変動を精度よく補正して画像を読み取ることができる。
請求項５に係る画像読取装置によれば、光遮断手段を設けない場合に比べ、光学系に起因して発生する明度の変動を精度よく補正して画像を読み取ることができる。
【図面の簡単な説明】
【００１１】
【図１】本実施形態に係る画像読取装置１０の構成を示すブロック図である。
【図２】本実施形態に係るイメージセンサ部２０の模式図である。
【図３】光分割部２３の形成方法を説明する図である。
【図４】光源２１１が照射する光と光分割部２３が回折する光のスペクトル図である。
【図５】本実施形態に係るイメージセンサ部２０の模式図である。
【図６】変形例１に係るイメージセンサ部２０の模式図である。
【図７】変形例２に係るイメージセンサ部２０の模式図である。
【図８】変形例３に係るイメージセンサ部２０の模式図である。
【図９】変形例４に係るイメージセンサ部２０ｂの模式図である。
【発明を実施するための形態】
【００１２】
＜実施形態＞
[構成]
図１は、本実施形態に係る画像読取装置１０の構成を示すブロック図である。イメージセンサ部２０は、被読取体である原稿ＭＳのうち、予め決められた領域における画像を読み取る。イメージセンサ部２０がこの原稿ＭＳ上の予め決められた領域における画像を読み取る動作を、主走査といい、主走査で画像を読み取る領域を読取領域ＲＡという。イメージセンサ部２０についての詳細は後述する。
原稿移動部３０は、モータ等を有し、主走査の終了後、次の画像が読み取られる位置まで原稿ＭＳを移動させる。この移動を繰り返しながら、イメージセンサ部２０が画像を読み取る動作を副走査といい、移動する方向を副走査方向という。イメージセンサ部２０は、このようにして読み取った画像に基づく情報を制御部４０に出力する。
【００１３】
制御部４０は、ＣＰＵ（Central Processing Unit）などの演算装置やＲＡＭ（Random Access Memory）等のメモリなどの記憶手段を備え、上述した各部の動作を制御し、後述する画像に関する処理を行う。ＲＡＭは、画像に関する処理を行うワークエリアとなる。記憶部５０は、ＲＯＭ（Read Only Memory）、ハードディスク、半導体メモリ等の記憶装置を備え、画像情報等の各種情報を記憶する。操作部６０は、利用者が画像読取装置１０に対して選択、確認、取り消しなどの指示を行うための操作を行うタッチパネル、キーボードなどの操作手段であって、操作内容を示す情報を制御部４０に出力する。
【００１４】
次に、イメージセンサ部２０の構成の概要について説明する。光源部２１は、ＬＥＤ（Light Emitting Diode：発光ダイオード）等の光源２１１を有し、原稿ＭＳに対して光を照射する。原稿保持部２２は、ガラス等の光を透過する部材などにより構成される原稿台などによって、配置された原稿ＭＳを保持する。
光分割部２３は、フォトポリマー、重クロム酸ゼラチン、銀塩写真フィルム等の素材で形成されたホログラムを有し、光源２１１が照射した光のうち、一部の波長の光を回折し、この一部の波長とは異なる波長の光を透過させる。この回折した光及び透過した光は、後述する異なる経路を通って結像部２４へ到達する。
【００１５】
結像部２４は、屈折率分布型レンズ等の正立等倍像を結像するレンズであり、光分割部２３が回折または透過した光をラインセンサ部２５に到達させる。
ラインセンサ部２５は、フォトダイオード等の光電変換素子を有する２つのラインセンサ２５１、２５２を備える。ラインセンサ２５１は、光源２１１が照射する光のうち、光分割部２３を透過し、原稿ＭＳにより拡散反射された光の強さを検出し、ラインセンサ２５２は光分割部２３が回折した光の強さを検出する。各ラインセンサ２５１、２５２は、各々が検出した光の強さに基づいて検出情報を生成し、制御部４０へ出力する。出力されたこれらの検出情報は、後述する構成と動作により、それぞれ画像情報の生成および画像情報の明度の補正に用いられる。続いて、イメージセンサ部２０の詳細な構成について図２を用いてさらに説明する。
【００１６】
図２は、本実施形態に係るイメージセンサ部２０の模式図である。被読取体である原稿ＭＳは、図示せぬ原稿保持部２２に保持され、この原稿ＭＳのうち読取領域ＲＡにおける画像が読み取られる。光源２１１は、原稿ＭＳの読取領域ＲＡに光を照射する位置に設けられている。なお、光源２１１が照射する光がラインセンサ２５１、２５２に直接到達しないように、図示せぬ遮蔽物が設置されている。光分割部２３は、光源２１１と原稿保持部２２に保持される原稿ＭＳとの間に設けられ、上述したとおり光源２１１が照射した光の一部を回折するとともに、残りの一部を透過する。続いて、この光分割部２３を構成するホログラムの形成方法について説明する。
【００１７】
図３は、光分割部２３の形成方法を説明する図である。まず、原稿保持部２２の原稿ＭＳを保持する側と反対側の面に、ホログラムが記録される素材を膜状に形成し、この素材に光を照射する光源２１１ａを設ける。また、原稿保持部２２の原稿ＭＳを保持する側に、読取領域ＲＡを副走査方向にずらした領域に光が入射するようにスリットを設置し、このスリットに光を照射する光源２１１ｂを設ける。これらの光源２１１ａ、２１１ｂが光を照射すると、上述した素材上で干渉し、干渉縞が形成される。この干渉縞には、光源２１１ａと同じ位相の光を照射すると再生されるスリットの虚像が記録される。このスリットの虚像は、スリットを設置した場所に形成される。このスリットにより光が入射された領域を虚像領域ＶＩＡと言う。
【００１８】
また、この干渉縞を鮮明に得るには干渉しやすい波長分布の狭い光を用いるのが望ましいため、ここでは、光源２１１ａ、２１１ｂには、波長分布が数ｎｍ程度のレーザーを用いる。一方、光源２１１は原稿ＭＳに照射して画像を読み取るための光であり、この例においては、可視光の波長全域に広がる波長分布を持つ白色光である。この光源２１１が光分割部２３に光を照射すると、干渉縞を記録した光の持つ波長を中心とした一部の波長の光が回折される。
【００１９】
図４は、光源２１１が照射する光と光分割部２３が回折する光のスペクトル図である。この図の横軸は光の波長λを示し、縦軸は回折する光の強度Ｐを示す。スペクトルＳＰ１は、光源２１１が照射する光の波長分布を示し、スペクトルＳＰ２は、光分割部２３が回折する光の波長分布を示す。この回折される光の波長分布（スペクトルＳＰ２）が示す光の波長分布の幅Δλは、中心波長λＣ、光分割部２３の厚さＬ、屈折率ｎ及び干渉縞記録時の光源２１１ａ、２１１ｂの照射光が交差する角度αを用いて以下の式で表される。
【００２０】
【数１】
2011049774.tif 000003
【００２１】
この式に表されるように、光分割部２３の素材や厚さ等を調整することで、回折光の波長分布が制御される。例えば、屈折率１．５、厚さ１０μｍの記録素材に対して、中心波長が５００ｎｍの光でホログラムを記録した場合、回折光の波長は波長５００ｎｍを中心に１０ｎｍ程度の幅で分布する。このようにして、光分割部２３は光源２１１が照射する光のうち、一部の波長の光は回折し、回折しない大部分の光は透過させて原稿ＭＳに照射されるように形成される。
【００２２】
図２に戻る。光分割部２３を透過した光は、原稿ＭＳの読取領域ＲＡで拡散反射され、このうちの一部の光が結像部２４により導かれ、ラインセンサ２５１へ到達する。また、光分割部２３が回折した光の一部は、結像部２４により導かれ、ラインセンサ２５２へ到達する。
ラインセンサ２５１、２５２は、各々列をなして配置された複数の光電変換素子を有し、これらの光電変換素子が配置される領域に入射する光の強さを検出する。光電変換素子のそれぞれが列をなす方向を主走査方向という。このようにして入射する光を検出する領域を、検出領域２５１ｋ、２５２ｋという。光電変換素子は、各々検出領域２５１ｋ、２５２ｋに入射する光の強さに基づき電荷を生成し、ラインセンサ２５１、２５２は、これらの生成された電荷に応じて電気信号を発生させた後増幅して制御部４０へ出力する。出力された電気信号は、ラインセンサ部２５１、２５２が生成する検出情報を示す信号であり、各検出領域２５１ｋ、２５２ｋに入射する光の強さに対応する値を持つ。
【００２３】
また、ラインセンサ２５１は、読取領域ＲＡ内にある原稿ＭＳ上の画像が、結像部２４により、各検出領域２５１ｋに正立等倍に結像されるように配置されている。すなわち、結像部２４によって各検出領域２５１ｋに結像される領域が読取領域ＲＡとなっている。一方、ラインセンサ２５２は、光分割部２３によって回折された光に応じて虚像領域ＶＩＡに形成されるスリットの虚像が、結像部２４により、各検出領域２５２ｋに正立等倍に結像されるように配置されている。このように配置される結果、ラインセンサ２５１とラインセンサ２５２とは、副走査方向にずらした位置関係となる。そして、各ラインセンサ２５１、２５２における各検出領域２５１ｋ、２５２ｋのうち、副走査方向にずれた関係にある各々は対応関係になっている。また、読取領域ＲＡ内にある原稿ＭＳ上の画像および虚像領域ＶＩＡに形成されるスリットの虚像が、各検出領域２５１ｋ、２５２ｋに結像されるため、ラインセンサ２５１、２５２は、各検出領域２５１ｋ、２５２ｋに入射する光の強さを検出することで、それぞれ原稿ＭＳ上の画像およびスリットの虚像を読み取る。
【００２４】
［動作］
次に、本実施形態に係る画像読取装置１０の補正に関する動作について説明する。まずは、画像の読み取り動作について、図５を用いて説明する。
図５は、本実施形態に係るイメージセンサ部２０の模式図である。上述したとおり、読取領域ＲＡで拡散反射した光に基づいてラインセンサ２５１が生成した検出情報は、制御部４０へ出力され、制御部４０により記憶部５０へ格納される。イメージセンサ部２０は、図示せぬ原稿移動部３０が副走査方向に移動させた原稿ＭＳから画像を読み取ると、制御部４０へ検出情報を出力する。このようにして蓄積された検出情報に基づき、制御部４０は原稿ＭＳが示す画像に基づいた画像情報を生成する。この画像情報を原稿画像情報と言う。
【００２５】
一方、光分割部２３が回折した光に基づいてラインセンサ２５２が生成した検出情報は、制御部４０へ出力され、制御部４０により記憶部５０へ格納される。制御部４０は、この検出情報に基づき、虚像領域ＶＩＡに形成されるスリットの虚像を示す画像情報を生成する。このとき、ラインセンサ２５２に到達する光には、原稿の虚像領域ＶＩＡで拡散反射された光なども含まれるが、光分割部２３が回折する光に比べて明るさが小さく、このスリットの虚像を示す画像情報は、原稿ＭＳの内容にほとんど影響されない。このため、この画像情報は、この画像読取装置１０が原稿ＭＳを読み取るときにおける光学系に起因して発生する原稿画像情報の明度の変動量を測定する基準となるものであり、明度基準情報という。
【００２６】
上述のように、光源２１１から照射された光は、異なる経路で検出領域２５１ｋ、２５２ｋにそれぞれ到達するため、読取領域ＲＡにおける原稿ＭＳを読み取って原稿画像情報が生成されるときに、虚像領域ＶＩＡの虚像もあわせて読み取られて明度基準情報が生成される。そして、例えば、理想的な光学系の状態である場合の基準値を基準明度として予め設定し、生成された明度基準情報が示す光の強さとこの基準明度の光の強さとの差を、光学系に起因する光の強さの変動量の大きさとして測定する。
【００２７】
このようにして、制御部４０は、検出領域２５２ｋにおいて検出された光の強さから測定された変動量を、対応する検出領域２５１ｋにおいて検出された検出情報に反映させ、この検出情報に対応する原稿画像情報の画素の明度を補正する。例えば、基準明度が２５５として設定されているものとし、ある検出領域２５２ｋにおいて検出された光の強さの値が２３０であった場合、光学系の影響により、ラインセンサ部２５に結像部２４を介して到達する光が基準明度より２５５分の２３０の強さになっているものとして、この検出領域２５２ｋに対応して設けられた検出領域２５１ｋにおいて検出された検出情報に対応する原稿画像情報の画素における明度の値を、２３０分の２５５倍に補正する。
【００２８】
ここで、上述した通り、ラインセンサ２５２における検出領域２５２ｋは、ラインセンサ２５１における検出領域２５１ｋに対して主走査方向に対応して配置されている。このため、この補正の処理を各検出領域２５１ｋ、２５２ｋ間において行うことにより、検出領域２５１ｋ、２５２ｋが配置された領域ごとに光学系に起因した原稿画像情報における明度の変動が補正される。そして、上述した補正の処理は、主走査単位で行う。なお、この補正の処理は、副走査まで完了して原稿画像情報を生成してから行ってもよいし、対応する検出領域２５１ｋ、２５２ｋにおける各検出情報が出力されるたびに行ってもよい。
【００２９】
このようにして、制御部４０は、原稿画像情報における各画素の明度を明度基準情報における各基準明度により補正し、補正した結果の明度から補正画像情報を生成して、記憶部５０に記憶させる。原稿画像情報および明度基準情報は、共に光源２１１が照射する光を、結像部２４を通して検出領域２５１ｋ、２５２ｋに照射させて検出される光の強さの情報を元に生成されている。このため、光源２１１、結像部２４などの光学系の影響による明度の変動量を、原稿ＭＳの画像を読み取りながら測定する。したがって、画像読み取り中に光学系の影響により明度の変動が生じる場合も、その変動量を示す明度基準情報に応じて原稿画像情報を補正することにより、変動の影響を打ち消した画像を示す補正画像情報が生成される。
【００３０】
以上、本発明の実施形態について説明したが、本発明は以下のように、さまざまな形態で実施可能である。
＜変形例１＞
上述した実施形態においては、光源２１１、結像部２４などの光学系の影響による明度の変動量を測定して原稿画像情報を補正したが、さらに結像部２４を介して検出領域２５１ｋに到達する光以外の原因で発生する電気信号の変動量を測定して原稿画像情報を補正してもよい。この電気信号の変動の原因には、例えばラインセンサの暗電流等の電気ノイズまたは漏れ光等の結像部２４を介さずに検出領域２５１ｋに到達する光によるノイズなどがある。
【００３１】
図６は、変形例１に係るイメージセンサ部２０の模式図である。ラインセンサ２５３は、列をなして配置された複数の光電変換素子を有し、これらの光電変換素子が配置される領域に照射される光の強さを検出し、検出情報を生成して制御部４０へ出力する。この照射された光の強さを検出する領域を、検出領域２５３ｋといい、ラインセンサ２５３は、この検出領域２５３ｋに結像部２４を介した光が入射しない位置でかつラインセンサ２５１を副走査方向にずらした位置に配置される。そして、各ラインセンサ２５１、２５３における各検出領域２５１ｋ、２５３ｋのうち、副走査方向にずれた関係にある各々は対応関係になっている。また、検出領域２５３ｋの光の強さを検出する光電変換素子は、読取領域ＲＡにおける原稿ＭＳの内容に影響されないため、読取領域ＲＡにおける原稿ＭＳを読み取って原稿画像情報が生成されるときに、検出領域２５３ｋにおける検出情報も合わせてラインセンサ２５３により生成され、制御部４０へ出力される。
【００３２】
こうして出力される検出情報は、結像部２４を介して各検出領域２５１ｋに到達する光以外の原因で発生する電気信号の変動、すなわち画像読み取りのための電気信号におけるノイズの値を測定する基準となり、この検出情報をノイズ基準情報と言う。例えば、ノイズが発生していない状態における各検出領域２５３ｋにおける検出情報の値を基準値として予め定めておき、ラインセンサ２５３から出力された各検出領域２５３ｋにおけるノイズ基準情報の値とこれらの基準値との差分をノイズの値として測定する。そして、制御部４０は、各検出領域２５１ｋにおける検出情報の値を、それぞれに対応して設けられた検出領域２５３ｋにおいて測定されたノイズの値に応じて補正する。
【００３３】
例えば、基準値を０とする検出領域２５３ｋにおいて検出されたノイズ基準情報の値が５であれば、この検出領域２５３ｋに対応する検出領域２５１ｋが原稿ＭＳを読み取り検出した明度から５を減じる補正を行う。この補正処理を、各検出領域２５１ｋ、２５３ｋ間において行うことにより、検出領域２５１ｋごとに発生したノイズが補正される。これらの補正は、主走査単位で行ってもよいし、事前に明度を補正するノイズ基準情報を測定し、この基準情報に基づいて補正の処理方法を定めて、この処理方法により読み取った画像情報の補正処理を行ってもよい。また、漏れ光等の検出が不要である場合は、ラインセンサ２５３に光を透過しない覆いを被せて光の入射を防いでもよい。
【００３４】
このように、制御部４０は、原稿画像情報における各画素の明度を検出領域２５３ｋが測定するノイズの値により補正し、補正した結果の明度から補正画像情報を生成して、記憶部５０に記憶する。このノイズの値は、原稿ＭＳの画像を読み取りながら測定する。したがって、画像読み取り中にノイズの程度が変化する場合も、変化したノイズの値を読み取り、このノイズの値に応じて原稿画像情報を補正することにより、変動の影響を打ち消した画像を示す補正画像情報が生成される。
【００３５】
＜変形例２＞
上述した実施形態においては、結像部２４がラインセンサ２５２に結像させた光を制限することなく用いたが、この光には上述したように虚像領域ＶＩＡで拡散反射された光などの光分割部２３が回折させた光以外の光が含まれることがあり、この光は取り除くのが望ましい。このため、ラインセンサ２５２と結像部２４の間で検出領域２５２ｋに入射する光の経路上に、光分割部２３に回折される光以外の光の透過を抑制するフィルタを設けてもよい。例えば、このフィルタは、光分割部２３が回折する一部の波長の光以外の光の透過を抑制する。
【００３６】
図７は、変形例２に係るイメージセンサ部２０の模式図である。フィルタ２４２は、光分割部２３が回折する波長の光を透過する光学フィルタである。フィルタ２４２は、ラインセンサ２５２と結像部２４の間に設置され、原稿面が拡散反射した光などの光分割部２３に回折される光以外の光の検出領域２５２ｋへの入射を抑制する。これにより、ラインセンサ２５２が出力する電気信号のＳＮ（signal-noise）比が向上する。なお、フィルタ２４２は、光分割部２３に回折される光以外の光の全ての入射を抑制しなくてもよいし、光分割部２３に回折される光の一部が抑制されてもよい。また、ラインセンサ２５２の検出領域２５２ｋを覆うようにフィルタ２４２を被せることで、結像部２４を介して入射する光以外の漏れ光などをさらに抑制してもよい。
【００３７】
＜変形例３＞
変形例２では、光の波長を制限することで、虚像領域ＶＩＡで拡散反射された光などの検出領域２５２ｋへの入射を抑制したが、遮光板を用いて検出領域２５２ｋに向かう光を遮断してもよい。
図８は、変形例３に係るイメージセンサ部２０の模式図である。遮光板２４３は、原稿保持部２２と光分割部２３の間に設置され、原稿ＭＳの虚像領域ＶＩＡ周辺を覆っている。遮光板２４３は、光源２１１から原稿ＭＳに向かって照射される光及び原稿ＭＳの読取領域ＲＡにおいて拡散反射されて結像部２４を介してラインセンサ２５２へ向かう光は遮断せずに、原稿ＭＳの虚像領域ＶＩＡ周辺において拡散反射されて結像部２４を介して検出領域２５２ｋへ向かう光は遮断する。これにより、遮光板２４３を設置しない場合に比べて、ラインセンサ２５２が出力する電気信号のＳＮ比が向上する。なお、同図では遮光板２４３は原稿ＭＳの虚像領域ＶＩＡ周辺を覆ったが、さらに原稿ＭＳに照射される光及びこの原稿ＭＳの読取領域ＲＡで拡散反射してラインセンサ２５２へ向かう光を遮らない他の領域を覆ってもよい。また、上述したフィルタ２４２を合わせて設置してもよい。
【００３８】
＜変形例４＞
上述した実施形態においては、原稿保持部２２はイメージセンサ部２０の一部を構成し、イメージセンサ部２０を構成する各部との相対位置は変わらなかったが、イメージセンサ部２０から独立させて構成してもよい。この場合、例えば、画像読取装置１０の本体に固定された原稿保持部２２ｂに対して、イメージセンサ部２０ｂが副走査方向に移動して相対的な位置を変えながら読取動作を行う。
【００３９】
図９は、変形例４に係るイメージセンサ部２０ｂの模式図である。イメージセンサ部２０ｂは、光源２１１、結像部２４、ラインセンサ２５１及びラインセンサ２５２を有し、主走査が終わると、図示せぬモータ等を有したセンサ部移動装置により副走査方向に移動して、次の主走査を行う。
【００４０】
＜変形例５＞
上述した実施形態においては、各々対応した検出領域における検出情報を比較して原稿画像情報を補正したが、ひとつの検出領域２５２ｋにおける検出情報を基準に比較して、原稿画像情報を補正してもよい。この場合でも、画像読取装置１０は、原稿画像の読み取り動作を行いながらこのひとつの検出領域２５２ｋにおける光の強さの変動量を測定し、原稿画像情報における各画素の明度を補正する。
【００４１】
＜変形例６＞
上述した実施形態においては、画像読取装置１０は、画像読取動作を行いながら明度基準情報を生成し、この明度基準情報に基づき測定した画像情報における明度の変動を補正したが、事前に基準となる明度基準情報を生成し、この明度基準情報に基づいて補正の処理方法を定めて、この処理方法により読み取った原稿画像情報の補正処理を行ってもよい。
【符号の説明】
【００４２】
１０…画像読取装置、２０，２０ｂ…イメージセンサ部、２１…光源部、２１１…光源、２２，２２ｂ…原稿保持部、２３…光分割部、２４…結像部、２４２…フィルタ、２４３…遮光板、２５…ラインセンサ部、２５１，２５２，２５３…ラインセンサ、３０…原稿移動部、４０…制御部、５０…記憶部、６０…操作部
【図１】
2011049774.tif 000004
【図２】
2011049774.tif 000005
【図３】
2011049774.tif 000006
【図４】
2011049774.tif 000007
【図５】
2011049774.tif 000008
【図６】
2011049774.tif 000009
【図７】
2011049774.tif 000010
【図８】
2011049774.tif 000011
【図９】
2011049774.tif 000012